(57)【特許請求の範囲】
【請求項１】
容器の口筒部に取着され、キャップ本体と上蓋とからなるヒンジキャップにおいて、
キャップ本体は、容器口筒部に嵌着される係合筒部と注出筒と、係合筒部外周に連設され、上端外周の所定位置にヒンジを連設する外周筒部とからなり、
係合筒部は、上壁と内筒と外筒と蓋係合部とを具え、
外筒の外周と外周筒部の内周の間には、ヒンジの反対側に、上端から下端まで連設する連結部と、連結部の両側上端から両側に延びる破断可能な上壁部と、ヒンジの部分に位置するように配設された少なくとも一個の破断可能な弱化連結部とを具えていることを特徴とするヒンジキャップ。
【請求項２】
弱化連結部が、外筒の外周上部から形成されるリブ部と、リブ部の上端から外周筒部の内周上端を連設する破断可能な弱化部とからなっていることを特徴とする請求項１記載のヒンジキャップ。
【発明の詳細な説明】
【技術分野】
【０００１】
本発明は、ヒンジキャップ、とくに、廃棄時に、容器と簡単に分別できるヒンジキャップに関するものである。
【背景技術】
【０００２】
内容液を充填した容器本体に打栓するヒンジキャップにおいて、内容液を全て使用した後に、上蓋を引張ることにより、キャップ本体のヒンジ側を変形させ、容器本体とキャップを分別廃棄できるようにしたヒンジキャップは、従来より知られている（例えば、特許文献１参照）。
【特許文献１】特開平１１−４９２１１号公報
【発明の開示】
【発明が解決しようとする課題】
【０００３】
しかしながら、上記特許文献１記載の従来のヒンジキャップでは、キャップ本体の側周壁（筒状側壁６）を変形させるために、ヒンジ側にスリットを設けており、上蓋の閉蓋時にヒンジの折曲げ支点が動くので、その力により、側周壁のスリットより外側の一部（外側側壁６ｂ）の上部が変形して上蓋がずれ、上蓋とキャップ本体との嵌合がうまくできないという問題があった。
【０００４】
本発明は、上記問題を解決することを課題とし、上蓋の閉蓋時に、上蓋がずれることを阻止し、上蓋とキャップ本体との嵌合を安定させることができるとともに、キャップと容器本体を、簡単に、かつ確実に分別廃棄できるようにしたヒンジキャップを提供することを目的とする。
【課題を解決するための手段】
【０００５】
本発明は、上記の課題を解決するため、ヒンジキャップとして、容器の口筒部に取着され、キャップ本体と上蓋とからなるヒンジキャップにおいて、キャップ本体は、容器口筒部に嵌着される係合筒部と注出筒と、係合筒部外周に連設され、上端外周の所定位置にヒンジを連設する外周筒部とからなり、係合筒部は、上壁と内筒と外筒と蓋係合部をと具え、外筒の外周と外周筒部の内周の間には、ヒンジの反対側に、上端から下端まで連設する連結部と、連結部の両側上端から両側に延びる破断可能な上壁部と、ヒンジの部分に位置するように配設された少なくとも一個の破断可能な弱化連結部とを具えていることを特徴とする構成を採用する。
【０００６】
弱化連結部の実施例として、弱化連結部が、外筒の外周上部から形成されるリブ部と、リブ部の上端から外周筒部の内周上端を連設する破断可能な弱化部とからなっていることを特徴とする構成を採用する。
【発明の効果】
【０００７】
容器本体の口筒部に取着され、容器口筒部に嵌着される係合筒部と注出筒と、係合筒部外周に連設され、上端外周の所定位置にヒンジを連設する外周筒部とからなるキャップ本体と上蓋とからなるヒンジキャップにおいて、係合筒部の外筒の外周と外周筒部の内周の間が、連結部と、切断可能な上壁部とを介し連結されているとともに、ヒンジ部分の位置で破断可能な弱化連結部で連結されているので、上蓋の閉蓋時のヒンジの折曲げ支点が動くことにより発生する力で、ヒンジ側の外周筒部が変形して上蓋がずれることを阻止し、上蓋とキャップ本体との嵌合を安定させることができる。
また、リブ部を設けたことによって、キャップの開閉による弱化連結部の変形を防止することができるようになった。
【発明を実施するための最良の形態】
【０００８】
次に、本発明のヒンジキャップの実施形態について、図面を参照して説明する。
図１、２において、Ａは容器本体に打栓されるキャップ本体、Ｂはキャップ本体ＡにヒンジＣを介して一体成形された上蓋である。
【０００９】
キャップ本体Ａは、隔壁１を内周下部に配設した注出筒２と、注出筒２の下端外周よりリング状底壁３を介して連設される係合筒部４と、係合筒部４外周に一定の間隔をもって連設され、上端外周にヒンジＣを連設する外周筒部５とからなっている。
【００１０】
隔壁１には、注出口を開口する薄肉の弱化部６により区画された除去部７が設けられており、除去部７の上面には、開口時に除去部７を引上げるプルリング８が設けられている。
【００１１】
係合筒部４は、リング状の上壁９と、上壁９の内周縁に垂設され、内周にリング状底壁３外周縁と接続する内筒１０と、上壁９の外周縁に垂設された外筒１１と、上壁９の上部に立設され、上蓋Ｂと係合する蓋係合部１２とからなっている。
外筒１１の内周には、容器本体の口筒部外周と係合する係合突条１３が設けられており、係合筒部４は、打栓時に、内筒１０外周と外筒１１内周により、容器本体の口筒部を挟持して、キャップ本体Ａを容器本体の口筒部に装着させる。
【００１２】
外筒１１の外周と外周筒部５の内周の間には、ヒンジＣの反対側に、上端から下端まで連設する連結部１４と、連結部１４の両側上端から左右に延び、ヒンジＣを中心として１３５°ほどをスリットａとして残して延びる上壁部１５が設けられている。  
連結部１４および上壁部１５の上面は、外筒１１と外周筒部５の上端面と同一面となっている。
上壁部１５には、下面から溝が設けられ、破断可能な薄肉部１５ａが形成されている。  
【００１３】
スリットａの上端には、外筒１１の外周と外周筒部５の内周を連結する複数の破断可能な弱化連結部１６が配設されており、その中の一つの弱化連結部１６ａは、ヒンジＣの中心部に位置するように配設されている。
【００１４】
弱化連結部１６は、図２に示すように、外筒１１の外周上部から形成されるリブ部１７と、リブ部１７の上端から外周筒部５の内周上端を連設する破断可能な弱化部１８とからなっている。
リブ部１７と弱化部１８の幅は、リブ部１７の外周がスリットａの幅の半分より外周筒部５側に位置し、弱化部１８は極力薄く形成されている。
【００１５】
上蓋Ｂは、頂壁２０と、頂壁２０の周縁に垂設され、外周下端の所定の位置にヒンジＣが連設される外筒壁２１とからなり、頂壁２０下面には、キャップ本体Ａの注出筒２の内周に挿入される密封リング２２が垂設されている。
【００１６】
外筒壁２１の内周下部には、キャップ本体Ａの係合筒部４の蓋係合部１２外周と係合する係合部２３が設けられている。
【００１７】
次に、本発明のヒンジキャップの作用効果について説明する。
内容液の注出にあたっては、キャップ本体Ａの隔壁１のプルリング８を引張り、抜栓した後、ヒンジＣの反対側に容器を倒し、内容液をキャップ本体Ａの隔壁１の開口から、注出筒２を介して注出する。
【００１８】
本発明のヒンジキャップは、ヒンジＣの反対側のキャップ本体Ａの係合筒部４の外筒１１と外周筒部５との間に、連結部１４および上壁部１５が形成されているので、注出時に垂れた液が、外筒１１と外周筒部５との間に入ることを防止することができる。
【００１９】
上蓋Ｂの閉蓋にあたっては、上蓋ＢをヒンジＣを介して廻動させ、キャップ本体Ａの蓋係合部１２と上蓋Ｂの係合部２３とを係合させ、上蓋Ｂをキャップ本体Ａに閉蓋する。
【００２０】
本発明のヒンジキャップは、キャップ本体Ａの外筒１１の外周と外周筒部５の内周の間のスリットａのヒンジＣの中心部上端に、弱化連結部１６ａが設けられているので、上蓋Ｂを閉蓋する際に、ヒンジＣを介して外周筒部５が外側に引張られても、弱化連結部１６ａの連結により外周筒部５のヒンジＣ側が外筒１１に対して外側に変形することを防止することができる。
【００２１】
また、逆に、ヒンジＣを介して外周筒部５が内側に引張られても、弱化連結部１６ａのリブ部１７が外周筒部５の内周に当接し、外周筒部５のヒンジＣ側が内側に変形することを防止することができるとともに、外周筒部５がずれ、弱化部１８が無理に変形して切断されてしまうことを防止することができる。
【００２２】
外周筒部５のヒンジＣ側が、外筒１１に対して外側または内側に変形することを防止することにより、上蓋Ｂを閉蓋する際のヒンジの折曲げ支点が動くことによって発生する力で、外周筒部５が変形し、上蓋Ｂがずれ、上蓋Ｂとキャップ本体Ａとの係合を阻害することを防止することができ、上蓋Ｂとキャップ本体Ａとの係合を安定させることができる。
【００２３】
容器を廃棄する際には、上蓋Ｂを開蓋し、上蓋Ｂを引張り上げると、ヒンジＣを介してキャップ本体Ａの外周筒部５を上昇させ、まず、外周筒部５と係合筒部４の外筒１１との間の弱化連結部１６を順次切断し、次に上壁部１５の薄肉部１５ａを端部から切断していき、最後は、外周筒部５と外筒１１との間は、連結部１４のみで連結されることとなる。
【００２４】
さらに、外周筒部５を上昇させると、連結部１４を介して係合筒部４の外筒１１が引張られ、外筒１１が変形し、キャップ本体Ａと容器本体の口筒部との係合を外して、簡単にヒンジキャップを容器本体から外して、分別廃棄することができる。
【００２５】
本発明のヒンジキャップは、外周筒部５と係合筒部４との間のヒンジＣ側にスリットａが形成されることで、外周筒部５のヒンジＣ側を引張る力が、上壁部１５の両端部からより掛かり易くなり、上壁部１５の薄肉部１５ａを簡単に切断することができる。
【００２６】
上記実施形態では、キャップ本体Ａの外筒１１の外周と外周筒部５の内周の間のヒンジＣ側の上端に弱化連結部１６を配設したが、上蓋Ｂを引張り上げた際に破断可能であるとともに、外周筒部５の変形を阻止することができればよいので、弱化連結部をヒンジ側の上端から下方の中間位置に配設するようにしてもよい。
また、外周筒部５の変形を阻止することができればよいので、弱化連結部を複数配設しなくても、ヒンジＣの中心部の位置に一つ配設するようにしてもよい。
したがって、キャップ本体の外筒の外周と外周筒部の内周の間のヒンジ側の弱化連結部の高さ、および数は、上記実施形態に限定されない。
【００２７】
上記実施形態では、スリットａは、ヒンジＣを中心として１３５°ほどに形成されているが、上蓋Ｂの閉蓋時に、弱化連結部によりスリットａ付近の外周筒部５の変形を阻止することができるとともに、容器の廃棄時に上壁部１５を簡単に切断することができればよいので、スリットａの角度の大きさは、上記実施形態に限定されない。
【産業上の利用可能性】
【００２８】
本発明は、ヒンジキャップにおいて、上蓋の係合、開閉を安定して行うことができるとともに、上蓋を引張ることによって、簡単にヒンジキャップを容器口部から取外して分別廃棄することができるので、各種の内容液の容器の分別廃棄可能のヒンジキャップとして、広く利用することができる。
【図面の簡単な説明】
【００２９】
【図１】本発明のヒンジキャップの説明図で、（ａ）は上面図、（ｂ）は断面立面図である。
【図２】ヒンジキャップの要部拡大図で、（ａ）は上面図、（ｂ）は断面立面図である。
【符号の説明】
【００３０】
Ａ          キャップ本体
Ｂ          上蓋
Ｃ          ヒンジ
ａ          スリット
１          隔壁
２          注出筒
３          リング状底壁
４          係合筒部
５          外周筒部
６          弱化部
７          除去部
８          プルリング
９          上壁
１０        内筒
１１        外筒
１２        蓋係合部
１３        係合突条
１４        連結部
１５        上壁部
１５ａ      薄肉部
１６、１６ａ  弱化連結部
１７        リブ部
１８        弱化部
２０        頂壁
２１        外筒壁
２２        密封リング
２３        係合部
【図１】
0005269487.tif 000002
【図２】
0005269487.tif 000003